(57)【要約】【課題】医薬品の分配に関する作業を容易に実施できる医薬品分配用治具および医薬品分配用セットを提供する。【解決手段】医薬品分配用治具は複数の医薬品用カップ６０を支持する支持部３０と、支持部３０が重ねて配置された場合に重ねられた支持部３０の間に隙間を形成するスペーサ５０と、を備える。【選択図】図２
2020192986.tif 000002
【特許請求の範囲】
【請求項１】
複数の医薬品用カップを支持する支持部と、
前記支持部が重ねて配置された場合に重ねられた前記支持部の間に隙間を形成するスペーサと、を備える
医薬品分配用治具。
【請求項２】
前記支持部と繋がる基部を備える
請求項１に記載の医薬品分配用治具。
【請求項３】
前記スペーサは前記基部に設けられる
請求項２に記載の医薬品分配用治具。
【請求項４】
前記支持部はバー形状である
請求項１〜３のいずれか一項に記載の医薬品分配用治具。
【請求項５】
前記支持部は前記医薬品用カップの収容部の形状に沿う凹部を含む
請求項４に記載の医薬品分配用治具。
【請求項６】
前記支持部が重ねられた状態で設置面に置かれた場合に、前記支持部の長手方向において、前記複数の医薬品用カップが前記支持部に対してスライドできるように構成される
請求項４または５に記載の医薬品分配用治具。
【請求項７】
前記支持部はスライドされた前記複数の医薬品用カップを取り出すための開口部を備える
請求項６に記載の医薬品分配用治具。
【請求項８】
請求項１〜７のいずれか一項に記載の医薬品分配用治具と、
前記医薬品分配用治具を収容する収容ボックスと、を含む
医薬品分配用セット。
【発明の詳細な説明】
【技術分野】
【０００１】
本発明は医薬品分配用治具、および、これを備える医薬品分配用セットに関する。
【背景技術】
【０００２】
医薬品の適切な管理という側面から、所定の服用期間に対応する医薬品を収容する複数の医薬品用カップが１つの集合体を構成する包装体が知られている。その一例である特許文献１に記載のお薬カレンダー(１)は薬剤(１０)を収容する複数の収容部(１ａ)が接続部(２)を介して結合した収容部連接体、および、複数の収容部(１ａ)の開口部(３ａｂ)を閉鎖する１枚のシート(５)を備える。服用者が薬剤(１０)を服用する場合、服用分の収容部(１ａ)が収容部連接体から分離される。
【先行技術文献】
【特許文献】
【０００３】
【特許文献１】特許第６０３５４６９号公報
【発明の概要】
【発明が解決しようとする課題】
【０００４】
例えば、服用者が自宅または老人福祉施設等の居所で在宅医療を受けている場合、服用者の居所において医薬品が服用者に分配されるケースがある。上記包装体では、医薬品を服用者に分配する場合、服用分の収容部(１ａ)を収容部連接体から分離するため、医薬品の分配に関する作業が煩雑である。
【課題を解決するための手段】
【０００５】
(１)本発明に関する医薬品分配用治具は複数の医薬品用カップを支持する支持部と、前記支持部が重ねて配置された場合に重ねられた前記支持部の間に隙間を形成するスペーサと、を備える。
上記医薬品分配用治具によれば、医薬品が収容された医薬品用カップを支持している支持部はスペーサを介して隙間をあけて重ねて配置される。医薬品用カップを支持部から取り外すことによって、医薬品用カップに収容されている医薬品を服用者に分配できるため、医薬品の分配に関する作業を容易に実施できる。
【０００６】
(２)好ましい例では(１)に記載の医薬品分配用治具において、前記支持部と繋がる基部を備える。
上記医薬品分配用治具によれば、容易に持ち運びできる。
【０００７】
(３)好ましい例では(２)に記載の医薬品分配用治具において、前記スペーサは前記基部に設けられる。
上記医薬品分配用治具によれば、構成を簡素化できる。
【０００８】
(４)好ましい例では(１)〜(３)のいずれか一項に記載の医薬品分配用治具において、前記支持部はバー形状である。
上記医薬品分配用治具によれば、構成を簡素化できる。
【０００９】
(５)好ましい例では(１)〜(４)のいずれか一項に記載の医薬品分配用治具において、前記支持部は前記医薬品用カップの収容部の形状に沿う凹部を含む。
上記医薬品分配用治具によれば、支持部に支持されている医薬品用カップの位置が安定する。
【００１０】
(６)好ましい例では(４)または(５)に記載の医薬品分配用治具において、前記支持部が重ねられた状態で設置面に置かれた場合に、前記支持部の長手方向において、前記複数の医薬品用カップが前記支持部に対してスライドできるように構成される。
上記医薬品分配用治具によれば、複数の医薬品用カップを支持部から容易に取り出すことができる。
【００１１】
(７)好ましい例では(６)に記載の医薬品分配用治具において、前記支持部はスライドされた前記複数の医薬品用カップを取り出すための開口部を備える。
上記医薬品分配用治具によれば、複数の医薬品用カップを支持部から一層容易に取り出すことができる。
【００１２】
(８)本発明に関する医薬品分配用セットは(１)〜(７)のいずれか一項に記載の医薬品分配用治具と、前記医薬品分配用治具を収容する収容ボックスと、を含む。
上記医薬品分配用セットによれば、医薬品用カップおよび医薬品分配用治具が保護される。
【発明の効果】
【００１３】
本発明に関する医薬品分配用治具および医薬品分配用セットによれば、医薬品の分配に関する作業を容易に実施できる。
【図面の簡単な説明】
【００１４】
【図１】実施形態の医薬品分配用セットの斜視図。
【図２】図１の収容ボックスに収容されている小セットの斜視図。
【図３】図２の医薬品用カップの分解斜視図。
【図４】図２の医薬品分配用治具の平面図。
【図５】図２の小セットが重ねて配置されている状態の側面図。
【図６】医薬品用カップに対する支持部の位置が第２位置の状態における小セットの側面図。
【図７】図１の収容ボックスの展開図。
【図８】医薬品分配用セットの製造に関するカップ配置工程を示す図。
【図９】医薬品分配用セットの製造に関する治具配置工程を示す図。
【図１０】医薬品分配用セットの製造に関する収容工程を示す図。
【図１１】医薬品分配用セットの製造に関する収容工程を示す図。
【図１２】医薬品分配用セットから医薬品用カップを取り出す工程を示す図。
【図１３】医薬品分配用セットから医薬品用カップが取り出された状態を示す図。
【発明を実施するための形態】
【００１５】
(実施形態)
図１に示される医薬品分配用セット１は１人または複数人の服用者が服用する医薬品を服用者に分配するために用いられる。医薬品は例えば処方箋医薬品である。医薬品分配用セット１が使用される場所(以下では、「分配場所」という)は多種多様である。分配場所の一例は服用者が入居する老人福祉施設、服用者の自宅、および、服用者が入院する病院である。分配場所には、医薬品を服用者に分配するための担当者(以下では、「分配担当者」という)が滞在する。分配場所が老人福祉施設の場合、分配担当者は例えば、薬剤師、看護師、介護福祉士、介護支援専門員、および、社会福祉士である。分配場所が服用者の自宅の場合、分配担当者は服用者の家族、看護師、および、訪問介護員である。分配場所が病院の場合、分配担当者は例えば、看護師である。分配担当者は服用者に医薬品を分配する場合、必要に応じてその場で医薬品の服用の仕方を服用者に説明する。
【００１６】
医薬品分配用セット１を構成する主な要素は１または複数の小セット１０(図２参照)、および、収容ボックス７０である。小セット１０は収容ボックス７０に収容される。このため、小セット１０が保護される。医薬品分配用セット１に複数の小セット１０が含まれる場合、複数の小セット１０が重ねられた状態で収容ボックス７０に収容される。小セット１０は服用条件に応じて分類された複数の医薬品を収容している。収容ボックス７０は小セット１０を移動させるための梱包箱としての用途だけではなく、分配場所において小セット１０を収容する棚として用いることもできる。
【００１７】
収容ボックス７０は小セット１０の形状に合わせて構成された専用のケースである。収容ボックス７０を構成する材料は任意に選択可能である。好ましい例では、収容ボックス７０は小セット１０を収容している状態で外部から力が加えられた場合でも小セット１０の変形および破損等が生じないように小セット１０を適切に保護できる材料によって構成される。その一例は、合成樹脂、段ボール、および、金属である。より好ましい例では、医薬品分配用セット１を取り扱う分配担当者の負荷が軽減されるように軽量な材料が用いられる。
【００１８】
収容ボックス７０は底壁７１、正面壁７２、背面壁７３、一対の上壁７４Ａ、７４Ｂ、一対の側壁７５Ａ、７５Ｂ、および、複数の連結壁７６を備える。底壁７１は１または複数の小セット１０が載せられる。底壁７１の長手方法の長さＬＡは収容ボックス７０の幅方向を規定する。底壁７１の短手方向の長さＬＢは収容ボックス７０の奥行き方向を規定する。正面壁７２、背面壁７３、一対の側壁７５Ａ、７５Ｂは底壁７１と繋がる。上壁７４Ａは正面壁７２と繋がる。上壁７４Ａには、図１に示される閉じられた状態の収容ボックス７０を開くときに分配担当者等の手が挿入できる貫通孔７４ＡＸが設けられる。上壁７４Ｂは背面壁７３と繋がる。上壁７４Ｂには、上壁７４Ａと同様に貫通孔７４ＢＸが設けられる。
【００１９】
複数の連結壁７６は第１連結壁７６Ａ、第２連結壁７６Ｂ、第３連結壁７６Ｃ、第４連結壁７６Ｄ、第５連結壁７６Ｅ、および、第６連結壁７６Ｆを含む。第１連結壁７６Ａは側壁７５Ａと背面壁７３とを連結する。第２連結壁７６Ｂは側壁７５Ａと正面壁７２とを連結する。第３連結壁７６Ｃは側壁７５Ｂと背面壁７３とを連結する。第４連結壁７６Ｄは側壁７５Ｂと正面壁７２とを連結する。第５連結壁７６Ｅは側壁７５Ａと、上壁７４Ａ、７４Ｂとを連結する。第６連結壁７６Ｆは側壁７５Ｂと、上壁７４Ａ、７４Ｂとを連結する。
【００２０】
図７に示されるように、収容ボックス７０は複数の連結壁７６と、正面壁７２、背面壁７３、上壁７４Ａ、７４Ｂ、および、側壁７５Ａ、７５Ｂとを連結するための連結部材８０をさらに備える。連結部材８０の一例は面ファスナーである。連結部材８０は第１連結部材８１、第２連結部材８２、第３連結部材８３、第４連結部材８４、第５連結部材８５、第６連結部材８６、第７連結部材８７、および、第８連結部材８８を含む。
【００２１】
第１連結部材８１は背面壁７３の外面、および、第１連結壁７６Ａの内面に設けられる。第１連結部材８１が結合することによって、背面壁７３と第１連結壁７６Ａとが連結される。第２連結部材８２は背面壁７３の外面、および、第３連結壁７６Ｃの内面に設けられる。第２連結部材８２が結合することによって、背面壁７３と第３連結壁７６Ｃとが連結される。第３連結部材８３は上壁７４Ｂの内面、および、第５連結壁７６Ｅの外面に設けられる。第３連結部材８３が結合することによって、上壁７４Ｂと第５連結壁７６Ｅとが連結される。第４連結部材８４は上壁７４Ｂの内面、および、第６連結壁７６Ｆの外面に設けられる。第４連結部材８４が結合することによって、上壁７４Ｂと第６連結壁７６Ｆとが連結される。第５連結部材８５は上壁７４Ａの内面、および、第５連結壁７６Ｅの外面に設けられる。第５連結部材８５が結合することによって、上壁７４Ａと第５連結壁７６Ｅとが連結される。第６連結部材８６は上壁７４Ａの内面、および、第６連結壁７６Ｆの外面に設けられる。第６連結部材８６が結合することによって、上壁７４Ａと第６連結壁７６Ｆとが連結される。第７連結部材８７は正面壁７２の外面、および、第２連結壁７６Ｂの内面に設けられる。第７連結部材８７が結合することによって、正面壁７２と第２連結壁７６Ｂとが連結される。第８連結部材８８は正面壁７２の外面、および、第４連結壁７６Ｄの内面に設けられる。第８連結部材８８が結合することによって、正面壁７２と第４連結壁７６Ｄとが連結される。
【００２２】
図２に示される小セット１０は医薬品分配用治具２０、および、複数の医薬品用カップ６０を備える。医薬品用カップ６０は医薬品の保護に適した樹脂材料によって構成される。好ましい例では、医薬品用カップ６０は医薬品が収容された状態で監査を実施できるように透明の樹脂材料によって構成される。
【００２３】
図３に示されるように、医薬品用カップ６０は収容部６１、フランジ６２、および、蓋６３に区分される。収容部６１には、医薬品を収容する収容空間６１Ａ、および、収容空間６１Ａに対して医薬品を出し入れするための開口６１Ｂが形成される。収容部６１は開口６１Ｂから底６１Ｃに向かうにつれて先細りとなる形状である。フランジ６２は開口６１Ｂの周囲に設けられる。医薬品用カップ６０には、服用条件に従って分類される１または複数種類の医薬品１００が収容される。服用条件の一例は１日における服用時期、および、服用日数である。好ましい例では、１回の服用分の医薬品１００が１つの医薬品用カップ６０の収容部６１に収容される。
【００２４】
蓋６３は開口６１Ｂを閉じるようにフランジ６２に接合される。蓋６３の表面６３Ａには、収容部６１に収容された医薬品に関する情報(以下では、「医薬品情報」という)を表示する表示部６４が設けられる。このため、分配担当者は医薬品情報を容易に把握できる。医薬品情報は１種類または複数種類の情報を含む。医薬品情報の一例は、服用者の氏名、医薬品を服用する日付、医薬品の服用時期、および、医薬品の薬品名である。好ましい例では、表示部６４は服用者の個人情報保護のための構成をさらに含む。第１例では、医薬品情報が１次元コードまたは２次元コードにより表示される。第２例では、医薬品情報が直接的に視認できないように個人情報保護シールが表示部６４に貼り付けられる。図３に示される例では、表示部６４は時期表示部６４Ａおよび書誌情報表示部６４Ｂを含む。時期表示部６４Ａは収容部６１に収容される医薬品１００の服用時期を文字により表示している。書誌情報表示部６４Ｂは医薬品の服用者の氏名、および、医薬品を服用する日付を１次元コードにより表示している。なお、図２、図８、図９、図１２、および、図１３では、表示部６４の図示を省略している。
【００２５】
１つの小セット１０に含まれる医薬品用カップ６０の数は任意に選択可能である。図２等に示される例では、１つの小セット１０には、２１個の医薬品用カップ６０が含まれる。１つの小セット１０に含まれる複数の医薬品用カップ６０にはそれぞれ、例えば、同一の服用者の１日における服用時期が同じである医薬品が収容される。１日における服用時期は例えば、朝、昼、または、夜である。図２等に示される例では、１つの小セット１０には、同一の服用者の１日における服用時期が同じである２１日分の医薬品が含まれる。１つの医薬品分配用セット１に含まれる小セット１０の数は任意に選択可能である。図５等に示される例では、１つの医薬品分配用セット１には、６つの小セット１０が含まれる。６つの小セット１０はそれぞれ異なる服用者の１日における服用時期が同じ医薬品が収容される。換言すれば、図５等に示される例では、６つの小セット１０には、異なる６人の服用者の１日における服用時期が同じ医薬品がそれぞれ収容される。
【００２６】
図４に示されるように、医薬品分配用治具２０は複数の支持部３０、基部４０、および、スペーサ５０を備える。医薬品分配用治具２０を構成する材料は任意に選択可能である。好ましい例では、医薬品分配用治具２０は分配担当者等が容易に持ち運びできるように軽量な材料によって構成される。その一例は、アクリル樹脂、および、アクリロニトリル・ブタジエン・スチレン共重合樹脂(ＡＢＳ樹脂)である。１つの医薬品分配用治具２０に含まれる支持部３０の数は任意に選択可能である。図４等に示される例では、１つの医薬品分配用治具２０は８本の支持部３０を含む。複数の支持部３０の形状は任意に選択可能である。図４等に示される例では、複数の支持部３０はバー形状である。このため、医薬品分配用治具２０の構成を簡素化できる。
【００２７】
複数の支持部３０は隣り合う一対の支持部３０によって医薬品用カップ６０を支持する。医薬品用カップ６０のうちの複数の支持部３０によって支持される部分は任意に選択可能である。図６等に示される例では、複数の支持部３０は医薬品用カップ６０の収容部６１を支持する。別の例では、複数の支持部３０は医薬品用カップ６０のフランジ６２を支持する。医薬品用カップ６０に対する複数の支持部３０の位置は図５に示される第１位置、および、図６に示される第２位置を含む。第１位置は複数の支持部３０が重ねられた状態で設置面２００に置かれた場合に、支持部３０の長手方向において、複数の医薬品用カップ６０が支持部３０に対してスライドできる位置である。このため、複数の医薬品用カップ６０を支持部３０から容易に取り出すことができる。収容ボックス７０における設置面２００は底壁７１である。第１位置においては、支持部３０と収容部６１との間に隙間が形成されることが好ましい。第２位置は支持部３０の長手方向において、複数の医薬品用カップ６０が支持部３０に対してスライドできない位置である。第２位置は、例えば、投入装置(図示略)によって複数の医薬品用カップ６０に医薬品が投入されたあと、小セット１０を収容ボックス７０に運ぶときに取り得る位置である。
【００２８】
複数の支持部３０の長手方向の長さＬＣは任意に選択可能である。好ましい例では、長さＬＣは隣り合う一対の支持部３０によって支持される医薬品用カップ６０の個数に基づいて決められる。図４等に示される例では、長さＬＣは隣り合う一対の支持部３０によって３個の医薬品用カップ６０を支持できる長さに設定される。
【００２９】
支持部３０には、第２位置において、医薬品用カップ６０の収容部６１を支持するための凹部３１が設けられる。このため、第２位置において、支持部３０に支持されている医薬品用カップ６０の位置が安定する。凹部３１の形状は収容部６１の形状に沿う形状である。一例では、凹部３１の形状は円弧である。凹部３１の形状が円弧である場合の凹部３１の曲率半径Ｒは任意に選択可能である。好ましい例では、曲率半径Ｒは図５に示される第１位置の場合に、凹部３１と収容部６１との間に隙間が形成され、かつ、図６に示される第２位置の場合に、凹部３１の内面３１Ａと収容部６１とが接触することができる値である。
【００３０】
基部４０は複数の支持部３０が並べられる方向に延びる。複数の支持部３０の長手方向の一方の端部３０Ａは基部４０と繋がる。このため、医薬品分配用治具２０を容易に持ち運びできる。隣り合う一対の支持部３０のうち、長手方向の他方の端部３０Ｂには、開口部３０Ｃが設けられる。第１位置において支持部３０の長手方向にスライドされた複数の医薬品用カップ６０は開口部３０Ｃを通過して医薬品分配用治具２０から取り出される。このため、複数の医薬品用カップ６０を支持部３０から容易に取り出すことができる。
【００３１】
スペーサ５０は収容ボックス７０内で支持部３０が重ねて配置された場合に、高さ方向において隣り合う支持部３０の間に隙間を形成するために設けられる。スペーサ５０は基部４０の下面４１から延びる第１スペーサ５１、および、基部４０の上面４２から延びる第２スペーサ５２を含む。スペーサ５０が基部４０に設けられるため、医薬品分配用治具２０の構成を簡素化できる。第１位置において、重ねて配置された複数の医薬品分配用治具２０のうちも最も下に位置する医薬品分配用治具２０(以下では、「最下方の医薬品分配用治具２０」という)の第１スペーサ５１は設置面２００と接する。第１位置において、最下方の医薬品分配用治具２０よりも上方に位置する医薬品分配用治具２０の第１スペーサ５１は１つ下方の医薬品分配用治具２０の第２スペーサ５２と接する。
【００３２】
小セット１０は収容ボックス７０の幅方向および奥行き方向において収容ボックス７０にフィットするように構成されている。このため、医薬品分配用セット１を持ち運ぶときに収容ボックス７０内での小セット１０の移動がより確実に抑えられ、小セット１０が変形および破損するおそれが一層低減される。収容ボックス７０と小セット１０とをフィットさせるための具体的な構成は任意に選択可能である。一例では、支持部３０の長さＬＣ(図４参照)、および、基部４０の長手方向の長さＬＤ(図４参照)が次のように設定されることにより、収容ボックス７０と小セット１０とがフィットする。支持部３０の長さＬＣは収容ボックス７０の底壁７１の短手方向の長さＬＢ(図７参照)よりも若干短い。基部４０の長手方向の長さＬＤは収容ボックス７０の底壁７１の長手方向の長さＬＡ(図７参照)よりも若干短い。このため、収容ボックス７０に小セット１０が収容された状態において、収容ボックス７０の内面と医薬品分配用治具２０の外周との間には、微小な隙間が形成される。収容ボックス７０の幅方向および奥行き方向において医薬品分配用治具２０が収容ボックス７０に対して移動できる範囲は、この微小な隙間に制限される。このような収容ボックス７０と医薬品分配用治具２０との関係が収容ボックス７０と小セット１０とがフィットした状態の一例である。
【００３３】
医薬品分配用セット１の製造方法の一例について説明する。一例では、投入装置および閉鎖装置が設置された分配場所または薬局において、薬剤師等によって医薬品分配用セット１の製造が実施される。投入装置は医薬品用カップ６０に規定の分量の医薬品を投入する装置である。投入装置としては、例えば、特許第６０３５４６９号公報に記載の装置を用いることができる。閉鎖装置は規定の分量の医薬品が投入された医薬品用カップ６０に蓋６３を接合する装置である。医薬品分配用セット１の製造はカップ配置工程、薬投入工程、治具セット工程、監査工程、搬送工程、蓋取付工程、および、収容工程を含む。
【００３４】
図８に示されるように、カップ配置工程では、投入装置の台３００の孔３１０のそれぞれに医薬品用カップ６０の収容部６１が挿入される。カップ配置工程のあとに薬投入工程が実施される。薬投入工程では、投入装置が駆動することによって、複数の医薬品用カップ６０の収容部６１のそれぞれに規定の分量の薬が投入される。薬投入工程の別の例では、薬剤師等によって、複数の医薬品用カップ６０の収容部６１のそれぞれに規定の分量の薬が投入される。薬投入工程のあとに治具セット工程が実施される。図９に示されるように、治具セット工程では、医薬品が投入された複数の医薬品用カップ６０のフランジ６２と台３００との隙間に複数の支持部３０が挿入される。治具セット工程のあとに監査工程が実施される。
【００３５】
監査工程では、例えば、カメラによって医薬品用カップ６０の収容部６１が撮影される。薬剤師等はカメラによって撮影された画像に基づいて、収容部６１に規定数の薬が存在するか否かを確認する。監査工程が実施されたあとに搬送工程が実施される。搬送工程では薬剤師等によって基部４０が掴まれて持ち上げられることによって、図６に示されるように、医薬品用カップ６０に対する支持部３０の位置が第２位置となる。次に、医薬品分配用治具２０および医薬品用カップ６０が閉鎖装置の台に搬送され、閉鎖装置の台の孔のそれぞれに医薬品用カップ６０の収容部６１が挿入される。閉鎖装置の台の構成は投入装置の台３００の構成と同様である。
【００３６】
搬送工程のあとに分離工程が実施される。分離工程では、閉鎖装置の台に対して医薬品分配用治具２０がスライドすることによって、複数の医薬品用カップ６０の相対的な位置関係が崩れることなく医薬品分配用治具２０が複数の医薬品用カップ６０から離れる。分離工程のあとに蓋取付工程が実施される。蓋取付工程では、閉鎖装置によって複数の医薬品用カップ６０のそれぞれに蓋６３が接合される。蓋取付工程のあとに収容工程が実施される。
【００３７】
図１０に示されるように、収容工程では、例えば、正面壁７２および側壁７５Ｂが開口するように収容ボックス７０が組み立てられ、図１１に示すように、複数の小セット１０が重ねて配置される。収容ボックス７０に収容される全ての小セット１０の収容が完了したあと、正面壁７２および側壁７５Ｂが閉じるように組み立てられ、図１に示される医薬品分配用セット１が完成する。
【００３８】
医薬品分配用セット１の使用方法の一例について説明する。
例えば、分配場所が老人福祉施設の場合、同一フロアに入居する服用者(以下では、「服用者グループ」という)が同じテーブルに集められる。分配担当者は服用者グループに対応する医薬品分配用セット１をテーブルに運び、図１２に示されるように、上壁７４Ｂおよび背面壁７３を開口する。分配担当者は収容ボックス７０内に重ねて配置されている複数の小セット１０のうちの最も上方の小セット１０の医薬品用カップ６０と、同じ列の最も下方の医薬品用カップ６０を指で挟む。図１３に示されるように、複数の医薬品用カップ６０を医薬品分配用治具２０に対して開口部３０Ｃ側にスライドさせることによって、縦一列分の複数の医薬品用カップ６０が収容ボックス７０から同時に取り出される。取り出された縦一列分の複数の医薬品用カップ６０には、服用者グループに含まれる服用者の１日における服用時期が同じ医薬品１００がそれぞれ収容されているため、分配担当者は服用者グループに医薬品１００を容易に分配できる。
【００３９】
医薬品分配用治具２０および医薬品分配用セット１によれば、次のような作用および効果が得られる。
収容ボックス７０内において、支持部３０はスペーサ５０を介して隙間をあけて重ねて配置される。医薬品用カップ６０を支持部３０から取り出すことによって、医薬品用カップ６０に収容されている医薬品１００を服用者に分配できるため、医薬品１００の分配に関する作業を容易に実施できる。
【００４０】
(変形例)
上記実施形態は本発明に関する医薬品分配用治具および医薬品分配用セットが取り得る形態の例示であり、その形態を制限することを意図していない。本発明に関する医薬品分配用治具および医薬品分配用セットは実施形態に例示された形態とは異なる形態を取り得る。その一例は、実施形態の構成の一部を置換、変更、もしくは、省略した形態、または、実施形態に新たな構成を付加した形態である。以下に実施形態の変形例の一例を示す。
【００４１】
・医薬品分配用治具２０の構成は任意に変更可能である。変形例の医薬品分配用治具２０はスペーサ５０が基部４０に対して着脱可能に構成される、または、スペーサ５０が収容ボックス７０に対して着脱可能に構成される。
【００４２】
・収容ボックス７０の構成は任意に変更可能である。変形例の医薬品分配用セット１の収容ボックス７０は小セット１０を収容できるように構成される箱、および、箱に設けられる開口を開閉するための蓋を備える。この変形例では、収容ボックス７０の蓋は開口を開放している状態において箱と接続されるように構成されてもよく、箱と分離されるように構成されてもよい。
【符号の説明】
【００４３】
１    ：医薬品分配用セット
２０  ：医薬品分配用治具
３０  ：支持部
３０Ｃ：開口部
３１  ：凹部
４０  ：基部
５０  ：スペーサ
６０  ：医薬品用カップ
６１  ：収容部
７０  ：収容ボックス
１００：医薬品
２００：設置面
【図１】
2020192986.tif 000003
【図２】
2020192986.tif 000004
【図３】
2020192986.tif 000005
【図４】
2020192986.tif 000006
【図５】
2020192986.tif 000007
【図６】
2020192986.tif 000008
【図７】
2020192986.tif 000009
【図８】
2020192986.tif 000010
【図９】
2020192986.tif 000011
【図１０】
2020192986.tif 000012
【図１１】
2020192986.tif 000013
【図１２】
2020192986.tif 000014
【図１３】
2020192986.tif 000015